(57)【要約】【課題】複数の装置から排水される液体を効率良く回収して処理する排水処理装置を提供する。【解決手段】排水処理装置１００は、排水蓄積部１０と、水位検出部１１と、吸引排水蓄積部２０と、低圧力生成部３０と、吸引配管４１および４２と、排水吸引制御部５０と、排水処理制御部６０と、排水処理配管７０とを備える。排水蓄積部１０に蓄積される装置２００から排水された液体が所定の水位に達すると、水位検出部１１においてそのことが検出される。その水位検出部１１における検出結果は排水吸引制御部５０に供給され、排水吸引制御部５０は排水蓄積部１０に蓄積された液体を吸引排水蓄積部２０に吸引配管４１を通じて吸引させて蓄積させる。なお、吸引排水蓄積部２０内の圧力は、低圧力生成部３０により所定圧力以下の圧力にされているため、吸引配管４１の端部付近の液体等を吸引できる。【選択図】      図１
2008003757.tif 000002
【特許請求の範囲】
【請求項１】
液体を排水する少なくとも２つの装置のそれぞれに設けられた排水された液体を蓄積する少なくとも２つの排水蓄積部と、
前記排水蓄積部に蓄積された液体を吸引する排水吸引部と、
前記排水蓄積部において蓄積された液体の水位が所定の水位を超えたことを検出する前記排水蓄積部のそれぞれに対応して設けられた少なくとも２つの水位検出部と、
前記水位検出部において所定の水位を超えたことが検出された場合その検出に対応する前記排水蓄積部から液体を前記排水吸引部に吸引させる排水吸引制御部と
を具備することを特徴とする排水処理装置。
【請求項２】
前記排水吸引部は、
前記吸引した液体を蓄積する吸引排水蓄積部と、
一端が前記吸引排水蓄積部と連結されており他端の開口が前記排水蓄積部内に位置する配管である少なくとも２つの吸引配管と、
前記吸引排水蓄積部内を所定圧力以下にする低圧力生成部と
を備え、
前記吸引配管は、前記排水蓄積部のそれぞれに設けられたことを特徴とする請求項１記載の排水処理装置。
【請求項３】
前記低圧力生成部は、
前記吸引排水蓄積部より空気を取り除く空気除去部と、
前記吸引排水蓄積部内の圧力を測定する圧力測定部と、
前記圧力測定部における測定の結果、前記吸引排水蓄積部内の圧力が前記所定圧力以上である場合は前記空気除去部を作動させ、前記吸引排水蓄積部内の圧力が前記所定圧力以下である場合は前記空気除去部を作動させない空気除去制御部と
を備えたことを特徴とする請求項２記載の排水処理装置。
【請求項４】
前記排水吸引制御部は、
前記吸引配管の途中に設けられた弁である吸引制御弁と、
前記水位検出部において所定の水位を超えたことが検出された場合にはその検出に対応する前記吸引制御弁を開かせ、前記水位検出部において所定の水位を超えたことが検出されない場合には前記吸引制御弁に対して弁を閉じさせる吸引制御弁開閉制御部と
を備えたことを特徴とする請求項２記載の排水処理装置。
【請求項５】
前記吸引排水蓄積部に連結された配管である排水処理配管と、
前記吸引排水蓄積部に外気を取り入れる弁である給気弁と、
前記排水処理配管の途中に設けられた弁である排水制御弁と、
前記水位検出部において所定の水位を超えたことが検出された場合には前記給気弁および排水制御弁に対して弁を閉じさせ、前記水位検出部において所定の水位を超えたことが検出されない場合には前記給気弁および排水制御弁に対して弁を開かせる排水制御弁開閉制御部と
をさらに具備することを特徴とする請求項２記載の排水処理装置。
【請求項６】
前記低圧力生成部は、前記排水制御弁開閉制御部により前記給気弁および排水制御弁が開かされた場合には作動しないことを特徴とする請求項５記載の排水処理装置。
【請求項７】
前記液体を排水する少なくとも２つの装置から排水された液体が前記排水蓄積部からこぼれ出したことを検出する前記排水蓄積部のそれぞれに対応して設けられた少なくとも２つの漏水検出部と、
前記漏水検出部において前記こぼれ出したことが検出された場合に外部に対して前記こぼれ出した前記排水蓄積部を伝達する漏水伝達部と
をさらに具備することを特徴とする請求項１記載の排水処理装置。
【発明の詳細な説明】
【技術分野】
【０００１】
本発明は、装置から排水される液体を処理する装置に関し、特に圧力差を利用して装置から排水される液体を吸引して回収する装置に関する。
【背景技術】
【０００２】
従来、装置の稼動に伴い発生する廃液等の液体は、装置に排水管を設けてそこから廃液等の液体を排水していた。そして、排水管の開口付近にタンク等の容器を設置して排水管から排出される廃液等の液体は、そのタンクに貯められていた。タンクにおける廃液等の液体の水位を人が監視して、タンクから廃液等の液体がこぼれそうになる前に人が廃液等の液体を汲み出していた。このようなことを人が常時行うことは煩雑であった。
【０００３】
上記問題を解決するため、従来、装置から排出される液体を一時ドレインパンに貯めておき、ドレインパンに貯められた液体を真空ポンプで吸引する装置が提案されていた（例えば、特許文献１参照。）。
【特許文献１】特開平１１−３５１６０３号公報（図１）
【発明の開示】
【発明が解決しようとする課題】
【０００４】
しかしながら、上述の従来技術は、１台の装置から排出される廃液等の液体を真空ポンプで吸引するという技術であり、複数の装置から排出される廃液等の液体を吸引するのに適したものではない。
【０００５】
そこで、本発明は、複数の装置から排水される液体を効率良く回収して処理する排水処理装置を提供することを目的とする。
【課題を解決するための手段】
【０００６】
本発明は、上記課題を解決するため本発明の排水処理装置は、液体を排水する少なくとも２つの装置のそれぞれに設けられた排水された液体を蓄積する少なくとも２つの排水蓄積部と、上記排水蓄積部に蓄積された液体を吸引する排水吸引部と、上記排水蓄積部において蓄積された液体の水位が所定の水位を超えたことを検出する上記排水蓄積部のそれぞれに対応して設けられた少なくとも２つの水位検出部と、上記水位検出部において所定の水位を超えたことが検出された場合その検出に対応する上記排水蓄積部から液体を上記排水吸引部に吸引させる排水吸引制御部とを具備することを特徴とするものである。これにより、複数の装置から排水される液体を効率良く回収して処理させるという作用をもたらす。
【０００７】
また、本発明の排水処理装置において、上記排水吸引部は、上記吸引した液体を蓄積する吸引排水蓄積部と、一端が上記吸引排水蓄積部と連結されており他端の開口が上記排水蓄積部内に位置する配管である少なくとも２つの吸引配管と、上記吸引排水蓄積部内を所定圧力以下にする低圧力生成部とを備え、上記吸引配管は、上記排水蓄積部のそれぞれに設けられたことを特徴とするものである。これにより、液体を排水する複数の装置から排水された液体を効率良く１箇所に回収させるという作用をもたらす。
【０００８】
また、本発明の排水処理装置において、上記低圧力生成部は、上記吸引排水蓄積部より空気を取り除く空気除去部と、上記吸引排水蓄積部内の圧力を測定する圧力測定部と、上記圧力測定部における測定の結果、上記吸引排水蓄積部内の圧力が上記所定圧力以上である場合は上記空気除去部を作動させ、上記吸引排水蓄積部内の圧力が上記所定圧力以下である場合は上記空気除去部を作動させない空気除去制御部とを備えたことを特徴とするものである。これにより、吸引排水蓄積部が液体を吸引する吸引力を維持させるという作用をもたらす。
【０００９】
また、本発明の排水処理装置において、上記排水吸引制御部は、上記吸引配管の途中に設けられた弁である吸引制御弁と、上記水位検出部において所定の水位を超えたことが検出された場合にはその検出に対応する上記吸引制御弁を開かせ、上記水位検出部において所定の水位を超えたことが検出されない場合には上記吸引制御弁に対して弁を閉じさせる吸引制御弁開閉制御部とを備えたことを特徴とするものである。これにより、排水蓄積部に蓄積された液体の吸引の制御を吸引制御弁の開閉の制御により実現させるという作用をもたらす。
【００１０】
また、本発明の排水処理装置において、上記吸引排水蓄積部に連結された配管である排水処理配管と、上記吸引排水蓄積部に外気を取り入れる弁である給気弁と、上記排水処理配管の途中に設けられた弁である排水制御弁と、上記水位検出部において所定の水位を超えたことが検出された場合には上記給気弁および排水制御弁に対して弁を閉じさせ、上記水位検出部において所定の水位を超えたことが検出されない場合には上記給気弁および排水制御弁に対して弁を開かせる排水制御弁開閉制御部とをさらに具備することを特徴とするものである。これにより、吸引排水蓄積部に蓄積された液体の排水の制御を排水制御弁および給気弁の開閉の制御により実現させるという作用をもたらす。
【００１１】
また、本発明の排水処理装置において、上記低圧力生成部は、上記排水制御弁開閉制御部により上記給気弁および排水制御弁が開かされた場合には作動しないことを特徴とするものである。これにより、吸引排水蓄積部内の圧力を効率良く下げさせるという作用をもたらす。
【００１２】
また、本発明の排水処理装置において、上記液体を排水する少なくとも２つの装置から排水された液体が上記排水蓄積部からこぼれ出したことを検出する上記排水蓄積部のそれぞれに対応して設けられた少なくとも２つの漏水検出部と、上記漏水検出部において上記こぼれ出したことが検出された場合に外部に対して上記こぼれ出した上記排水蓄積部を伝達する漏水伝達部とをさらに具備することを特徴とするものである。これにより、排水給水装置が故障等の異常な状態にあることを外部に知らせるという作用をもたらす。
【発明の効果】
【００１３】
本発明によれば、複数の装置から排水される液体を効率良く回収して処理できるという優れた効果を奏し得る。
【発明を実施するための最良の形態】
【００１４】
次に本発明の実施の形態について図面を参照して詳細に説明する。
【００１５】
図１は、本発明の実施の形態における排水処理装置１００の構成の一例を示す図である。排水処理装置１００は、排水蓄積部１０と、水位検出部１１と、漏水検出部１２と、漏水伝達部１３と、吸引排水蓄積部２０と、低圧力生成部３０と、吸引配管４１および４２と、排水吸引制御部５０と、排水処理制御部６０と、排水処理配管７０とを備える。
【００１６】
排水蓄積部１０は、装置２００が装置排水処理配管２１０を通じて排水した液体を蓄積するものである。水位検出部１１は、排水蓄積部１０に蓄積された液体が排水蓄積部１０内において所定の水位を超えたことを検出するものである。水位検出部１１としては、例えばフロートスイッチ等の液面レベルセンサが想定されるが、これに限るものではなく、所定の水位を検出できるものであれば他のものでもよい。水位検出部１１における検出結果は、排水吸引制御部５０および排水処理制御部６０に供給される。
【００１７】
漏水検出部１２は、排水蓄積部１０の上端面から液体がこぼれ出していることを検出するものである。漏水伝達部１３は、漏水検出部１２において排水蓄積部１０の上端面から液体がこぼれ出していることが検出された場合にその旨を外部に知らせるものである。漏水伝達部１３としては、例えば警報ブザーが想定されるが、これに限るものでなく、その他のものでもよい。
【００１８】
吸引排水蓄積部２０は、吸引配管４１を通じて排水蓄積部１０に蓄積された液体を吸引して蓄積するものである。低圧力生成部３０は、吸引排水蓄積部２０内の圧力を所定圧力以下の圧力にするものである。すなわち、低圧力生成部３０は、吸引排水蓄積部２０内の圧力を常時監視し吸引排水蓄積部２０内の圧力が所定圧力以上になると、吸引排水蓄積部２０内の圧力が所定圧力以下になるように動作する。
【００１９】
吸引配管４１の一端は、排水吸引制御部５０を介して吸引排水蓄積部２０に連結されている。また、吸引配管４１の他端の開口部は、排水蓄積部１０内に位置する。
【００２０】
吸引排水蓄積部２０内の圧力を低くすると、吸引排水蓄積部２０内の圧力と吸引配管４１の他端の開口部付近の圧力とに圧力差が生じる。この圧力差により、吸引配管４１の他端の開口部付近にある液体は、吸引配管４１を通じて吸引排水蓄積部２０内へ移動する。すなわち、吸引排水蓄積部２０、低圧力生成部３０および吸引配管４１の３つの機能により排水蓄積部１０に蓄積された液体を吸引する排水吸引機能を実現している。
【００２１】
排水吸引制御部５０は、水位検出部１１における検出結果に応じて排水蓄積部１０に蓄積された液体の吸引排水蓄積部２０による吸引を制御するものである。すなわち、水位検出部１１において所定の水位を超えたことが検出された場合、排水吸引制御部５０は吸引排水蓄積部２０に排水蓄積部１０に蓄積された液体を吸引配管４１を通じて吸引させる。一方、水位検出部１１において所定の水位を超えたことが検出されていない場合、排水吸引制御部５０は吸引排水蓄積部２０に排水蓄積部１０に蓄積された液体を吸引させない。
【００２２】
排水処理制御部６０は、水位検出部１１における検出結果に応じて吸引排水蓄積部２０に蓄積された液体の排水処理配管７０を通じた排水を制御するものである。すなわち、水位検出部１１において所定の水位を超えたことが検出された場合、排水処理制御部６０は吸引排水蓄積部２０に蓄積された液体の排水処理配管７０を通じた排水をさせない。一方、水位検出部１１において所定の水位を超えたことが検出されない場合、排水処理制御部６０は吸引排水蓄積部２０に蓄積された液体の排水処理配管７０を通じた排水を所定時間させる。
【００２３】
なお、排水処理制御部６０が排水処理配管７０を通じて吸引排水蓄積部２０に蓄積された液体を排水させている間は、低圧力生成部３０の動作を停止させることが想定されるが、これに限るものではなく、低圧力生成部３０の動作を停止させない構成であってもよい。排水処理配管７０は、吸引排水蓄積部２０に連結された配管であり、吸引排水蓄積部２０に蓄積された液体を外部に排水するために設けられたものである。
【００２４】
なお、排水処理装置１００は装置２００から排水された液体のみを処理することができるだけでなく、２つの装置から排水された液体を処理することが可能である。すなわち、装置２００以外の液体を排水する（図示しない）装置にも（図示しない）排水蓄積部を設けて、その（図示しない）排水蓄積部内に吸引配管４２の開口部を位置させれば装置２００以外の液体を排水する（図示しない）装置から排水される液体も処理することができる。
【００２５】
この場合、吸引配管４２に対応する（図示しない）排水蓄積部にも（図示しない）水位検出部を設ける。その（図示しない）水位検出部の検出結果は、（図示しない）制御線を通じて排水吸引制御部５０および排水処理制御部６０に供給される。
【００２６】
その（図示しない）水位検出部から供給される検出結果に応じて、排水吸引制御部５０は吸引配管４２に対応する（図示しない）排水蓄積部に蓄積された液体の吸引を上記説明したのと同様に制御し、排水処理制御部６０は吸引排水蓄積部２０に蓄積された液体の排水処理配管７０を通じた排水を上記説明したのと同様に制御する。
【００２７】
図２は、図１における排水処理装置１００の第一の実施の形態である排水処理装置３００を示す図である。なお、排水処理装置３００の符号に関しては、図１の排水処理装置１００と同一名称の機能部には同一の符号を付することとする。
【００２８】
排水処理装置３００は、排水蓄積部１０ａおよび１０ｂと、水位検出部１１ａおよび１０ｂと、漏水検出部１２ａおよび１２ｂと、吸引排水蓄積部２０と、空気除去部３１と、圧力測定部３５と、吸引配管４１および４２と、吸引制御弁５１および５２と、排水制御弁６１と、給気弁６２と、排水処理配管７０と、制御部８０とを備える。
【００２９】
排水処理装置３００における排水蓄積部１０ａおよび１０ｂはそれぞれ装置２００ａおよび２００ｂに対応する排水蓄積部であり、その機能については図１における排水処理装置１００の排水蓄積部１０で説明済みであるため説明を省略する。また、排水処理装置３００における水位検出部１１ａおよび１０ｂはそれぞれ排水蓄積部１０ａおよび１０ｂに対応する水位検出部であり、その機能については図１における排水処理装置１００の水位検出部１１で説明済みであるため説明を省略する。また、排水処理装置３００における漏水検出部１２ａおよび１２ｂはそれぞれ排水蓄積部１０ａおよび１０ｂに対応する漏水検出部であり、その機能については図１における排水処理装置１００の漏水検出部１２で説明済みであるため説明を省略する。また、吸引排水蓄積部２０と、吸引配管４１および４２と、排水処理配管７０とについては図１における排水処理装置１００で説明済みであるため説明を省略する。
【００３０】
制御部８０は、排水処理装置１００の第一の実施の形態である排水処理装置３００における各処理を制御するものである。制御部８０における各処理の制御については、別途図３において詳細に述べる。
【００３１】
空気除去部３１は、吸引排水蓄積部２０内から空気を取り除くものであり、空気除去本体部３２と、空気除去管３３と、逆止弁３４とを備える。空気除去本体部３２は、空気除去管３３を通じて吸引排水蓄積部２０内の空気を取り除くものである。これにより吸引排水蓄積部２０内の圧力を下げることができる。なお、空気除去本体部３２としては、例えば真空ポンプが想定されるがこれに限るものではない。逆止弁３４は、吸引排水蓄積部２０側から空気除去本体部３２側への流体の移動は許可するが、空気除去本体部３２側から吸引排水蓄積部２０側への流体の移動は阻止する弁である。
【００３２】
圧力測定部３５は、吸引排水蓄積部２０内の圧力を測定するものである。この圧力測定部３５における測定結果は、制御部８０に供給される。制御部８０は、圧力測定部３５における測定結果に応じて空気除去部３１の動作を制御する。なお、空気除去部３１、圧力測定部３５および制御部８０の一機能は、図１における排水処理装置１００における低圧力生成部３０に対応する。
【００３３】
吸引制御弁５１は、排水蓄積部１０ａに蓄積された液体の吸引排水蓄積部２０における吸引配管４１を通じた吸引を制御する弁である。すなわち、吸引制御弁５１は吸引配管４１の途中に設けられており、吸引制御弁５１の開閉を行うことによって排水蓄積部１０ａに蓄積された液体の吸引排水蓄積部２０における吸引を制御する。
【００３４】
吸引制御弁５１の開閉は、水位検出部１１ａにおける検出結果に応じて制御部８０により制御される。すなわち、水位検出部１１ａにおいて所定の水位を超えたことが検出された場合、制御部８０は吸引制御弁５１を開かせる。一方、水位検出部１１ａにおいて所定の水位を超えたことが検出されない場合、制御部８０は吸引制御弁５１を閉じさせる。
【００３５】
吸引制御弁５２は、排水蓄積部１０ｂに蓄積された液体の吸引排水蓄積部２０における吸引を制御する弁である。すなわち、吸引制御弁５２は吸引配管４２の途中に設けられており、吸引制御弁５２の開閉を行うことによって排水蓄積部１０ｂに蓄積された液体の吸引排水蓄積部２０における吸引を制御する。
【００３６】
吸引制御弁５２の開閉は、水位検出部１１ｂにおける検出結果に応じて制御部８０により制御される。すなわち、水位検出部１１ｂにおいて所定の水位を超えたことが検出された場合、制御部８０は吸引制御弁５２を開かせる。一方、水位検出部１１ｂにおいて所定の水位を超えたことが検出されない場合、制御部８０は吸引制御弁５２を閉じさせる。
【００３７】
吸引制御弁５１および５２を上記説明したように排水蓄積部１０ａまたは１０ｂに蓄積された液体の水位に基づいて制御することによって、装置２００ａおよび２００ｂから排水された液体を効率良く吸引して回収することができる。なお、吸引制御弁５１および５２として、電磁弁が想定されるがこれに限るものではない。また、吸引制御弁５１、５２および制御部８０の一機能は、図１における排水処理装置１００の排水吸引制御部５０に対応する。
【００３８】
排水制御弁６１は、吸引排水蓄積部２０に蓄積された液体の排水処理配管７０を通じた排水を制御する弁である。すなわち、排水制御弁６１は排水処理配管７０の途中に設けられており、排水制御弁６１の開閉を行うことによって吸引排水蓄積部２０に蓄積された液体の排水を制御する。給気弁６２は、吸引排水蓄積部２０に外気を取り入れる弁である。吸引排水蓄積部２０に外気を取り入れることによって、吸引排水蓄積部２０に蓄積された液体を効率よく排水することができる。
【００３９】
排水制御弁６１および給気弁６２の開閉は、水位検出部１１ａおよび１１ｂにおける検出結果に応じて制御部８０によって制御される。すなわち、水位検出部１１ａおよび１１ｂのいずれにおいても所定の水位を超えたことが検出されない場合、制御部８０は排水制御弁６１および給気弁６２を開かせる。一方、水位検出部１１ａおよび１１ｂの少なくとも１つにおいて所定の水位を超えたことが検出された場合、制御部８０は排水制御弁６１および給気弁６２を閉じさせる。排水制御弁６１および給気弁６２として、電磁弁が想定されるが、これに限るものではない。
【００４０】
排水制御弁６１および給気弁６２の開閉を上記のように制御することによって排水蓄積部１０ａまたは１０ｂに相当量の液体が蓄積された場合に、排水処理装置３００は液体の吸引のみを行い、排水蓄積部１０ａまたは１０ｂに蓄積された液体を回収して吸引排水蓄積部２０に蓄積し、その回収が終わった後に吸引排水蓄積部２０に蓄積された液体を排水するという効率の良い処理を実現することが可能になる。
【００４１】
排水制御弁６１および給気弁６２が開いている場合、圧力測定部３５における測定結果がどのような値であっても、空気除去部３１は制御部８０からの指令により停止させられる。こうすることによって、吸引排水蓄積部２０内の圧力を効率良く所定圧力以下の状態にすることができる。なお、排水制御弁６１、給気弁６２および制御部８０の一機能は、図１における排水処理装置１００の排水処理制御部６０に対応する。
【００４２】
図３は、図２における制御部８０の構成の一例を示す図である。以下において制御部８０における排水処理装置３００の各処理の制御の詳細について述べる。制御部８０は、吸引制御弁開閉制御部８１と、排水制御弁開閉制御部８２と、空気除去制御部８３と、漏水伝達部１３とを備える。
【００４３】
吸引制御弁開閉制御部８１は、水位検出部１１ａおよび１１ｂにおける検出結果に応じて吸引制御弁５１および５２の開閉を行うものである。すなわち、水位検出部１１ａにおいて所定の水位を超えたことが検出された場合、吸引制御弁開閉制御部８１は吸引制御弁５１を開かせる。一方、水位検出部１１ａにおいて所定の水位を超えたことが検出されない場合、吸引制御弁開閉制御部８１は吸引制御弁５１を閉じさせる。
【００４４】
同様に水位検出部１１ｂにおいて所定の水位を超えたことが検出された場合、吸引制御弁開閉制御部８１は吸引制御弁５２を開かせる。一方、水位検出部１１ｂにおいて所定の水位を超えたことが検出されない場合、吸引制御弁開閉制御部８１は吸引制御弁５２を閉じさせる。なお、吸引制御弁開閉制御部８１は、図２で説明した図１における排水処理装置１００の排水吸引制御部５０に対応する制御部８０の一機能である。
【００４５】
排水制御弁開閉制御部８２は、水位検出部１１ａおよび１１ｂにおける検出結果に応じて排水制御弁６１および給気弁６２の開閉を行うものである。すなわち、水位検出部１１ａおよび１１ｂのいずれにおいても所定の水位を超えたことが検出されない場合、排水制御弁開閉制御部８２は排水制御弁６１および給気弁６２を所定時間開かせる。一方、水位検出部１１ａおよび１１ｂの少なくとも１つにおいて所定の水位を超えたことが検出された場合、排水制御弁開閉制御部８２は排水制御弁６１および給気弁６２を閉じた状態のままにさせる。
【００４６】
また、排水制御弁開閉制御部８２は、排水制御弁６１および給気弁６２を開かせている旨の信号（以下、排水制御弁６１および給気弁６２を開かせている旨の信号を弁開信号と呼ぶ。）、または排水制御弁６１および給気弁６２を閉じさせている旨の信号（以下、排水制御弁６１および給気弁６２を閉じさせている旨の信号を弁閉信号と呼ぶ。）を吸引制御弁開閉制御部８１および空気除去制御部８３に供給する。排水制御弁開閉制御部８２は、図２で説明した図１における排水処理装置１００の排水処理制御部６０に対応する制御部８０の一機能である。
【００４７】
なお、水位検出部１１ａまたは１１ｂにおいて所定の水位を超えたことが検出された場合であっても、排水制御弁開閉制御部８２から弁開信号を供給されている間は、吸引制御弁開閉制御部８１は吸引制御弁５１および５２を開かせない。所定時間経過後に排水制御弁開閉制御部８２から弁閉信号を供給されてから吸引制御弁開閉制御部８１は、検出に対応する吸引制御弁５１または５２を開かせる。
【００４８】
また、上記のような構成ではなく、排水制御弁開閉制御部８２が排水制御弁６１および給気弁６２を開かせてから所定時間経過する前に、水位検出部１１ａまたは１１ｂにおいて所定の水位を超えたことが検出された場合、排水制御弁開閉制御部８２が排水制御弁６１および給気弁６２を閉じさせ、吸引制御弁開閉制御部８１が検出に対応する吸引制御弁５１および５２を開かせる構成としてもよい。
【００４９】
空気除去制御部８３は、圧力測定部３５における測定結果、および排水制御弁開閉制御部８２から供給される弁開信号または弁閉信号に応じて空気除去部３１の作動を制御する。すなわち、空気除去制御部８３は、排水制御弁開閉制御部８２から弁開信号を供給された場合は圧力測定部３５における測定結果に関係なく、空気除去部３１を停止させる。
【００５０】
一方、空気除去制御部８３は、排水制御弁開閉制御部８２から弁閉信号を供給された場合は、圧力測定部３５における測定結果が所定圧力以下の場合には空気除去部３１を停止させる。また、空気除去制御部８３は、排水制御弁開閉制御部８２から弁閉信号を供給された場合は、圧力測定部３５における測定結果が所定圧力以上の場合には空気除去部３１を作動させる。そして、圧力測定部３５における測定結果が所定圧力以下になるまで空気除去部３１を作動させる。空気除去制御部８３による空気除去部３１の制御を上記のようにすることによって、吸引排水蓄積部２０内の圧力を速やかに所定圧力以下の状態にすることができる。
【００５１】
漏水伝達部１３は、図１で説明したように漏水検出部１２ａまたは１２ｂにおいて排水蓄積部１０ａまたは１０ｂの上端面から液体がこぼれ出していることが検出された場合にその旨を外部に知らせるものである。漏水伝達部１３が外部に上記その旨を知らせる場合、排水蓄積部１０ａまたは１０ｂのいずれから液体がこぼれ出しているかをも上記その旨に含めて外部に知らせてもよい。漏水伝達部１３により、排水処理装置３００が故障等の異常状態にある場合早急に対処することが可能となる。
【００５２】
図４は、空気除去部３１の作動状態を表すチャート図である。時刻ｔ０から時刻ｔ１までは排水制御弁６１および給気弁６２が閉じている。この場合、空気除去部３１は吸引排水蓄積部２０内の圧力の大きさに応じて作動するか否かが決まる。すなわち、吸引排水蓄積部２０内の圧力が所定の圧力Ｐより大きい場合、空気除去部３１は作動し、吸引排水蓄積部２０内の圧力が所定の圧力Ｐより小さい場合、空気除去部３１は停止する。
【００５３】
次に時刻ｔ１になり排水制御弁６１および給気弁６２が開いた状態になると、吸引排水蓄積部２０内の圧力の大きさに関わらず、空気除去部３１は停止する。時刻ｔ２になり排水制御弁６１および給気弁６２が閉じた状態になると、上記説明したように吸引排水蓄積部２０内の圧力が所定の圧力Ｐより大きい場合、空気除去部３１は作動し、吸引排水蓄積部２０内の圧力が所定の圧力Ｐより小さい場合、空気除去部３１は停止する。
【００５４】
図５は、図１における排水処理装置１００の第二の実施の形態である排水処理装置４００を示す図である。なお、排水処理装置４００の符号に関しては、図２の排水処理装置３００と同一名称の機能部には同一の符号を付することとする。
【００５５】
排水処理装置４００は、排水蓄積部１０ａおよび１０ｂと、水位検出部１１ａおよび１０ｂと、漏水検出部１２ａおよび１２ｂと、吸引排水管２１と、空気除去部３１と、圧力測定部３５と、吸引配管４１および４２と、吸引制御弁５１および５２と、排水制御弁６１と、給気弁６２と、排水処理配管７０と、制御部８０とを備える。図２と同一の名称および符号が付されているものは、図２において説明済みであるため説明を省略する。
【００５６】
排水処理装置３００と排水処理装置４００との相違点は、吸引排水蓄積部２０と吸引排水管２１とにある。排水処理装置３００における吸引排水蓄積部２０としては、例えば所定の容量を有するタンクが想定されるが、排水処理装置４００における吸引排水管２１としては、例えば所定の径を有する排水管が想定される。
【００５７】
排水処理装置３００における吸引排水蓄積部２０を吸引排水管２１に置き換えることによって、吸引した液体を蓄積する場所の容量を小さくすることができるため、排水処理装置全体を小型化することができる利点がある。また、吸引した液体を蓄積する容量を小さくすると、中の圧力の状態を維持することが容易になるという利点もある。
【００５８】
次に本発明の実施の形態における排水処理装置３００の動作について図面を参照して説明する。
【００５９】
図６は、排水処理装置３００における動作の流れを示す図である。まず、吸引制御弁開閉制御部８１において排水蓄積部１０ａおよび１０ｂにおける水位が所定の水位を超えたか否かが判断される（Ｓ９１１）。吸引制御弁開閉制御部８１におけるステップＳ９１１の判断は、水位検出部１１ａおよび１１ｂにおける検出結果に基づいて判断される。
【００６０】
吸引制御弁開閉制御部８１において排水蓄積部１０ａおよび１０ｂの少なくとも１つにおける水位が所定の水位を超えたと判断されると、吸引制御弁開閉制御部８１は水位が所定の水位を超えたと判断された方の排水蓄積部に対応する吸引制御弁５１または５２を開かせる（Ｓ９１２）。一方、吸引制御弁開閉制御部８１は、水位が所定の水位を超えていないと判断された方の排水蓄積部に対応する吸引制御弁５１または５２を閉じさせる（Ｓ９１３）。
【００６１】
そして、吸引排水蓄積部２０内の圧力が所定圧力に達しているか否かが空気除去制御部８３において判断される（Ｓ９１４）。ステップＳ９１４における空気除去制御部８３の判断は、圧力測定部３５における測定結果に基づいて行われる。
【００６２】
空気除去制御部８３において吸引排水蓄積部２０内の圧力が所定圧力に達していると判断されると空気除去制御部８３は空気除去部３１を作動させ（Ｓ９１５）、空気除去制御部８３において吸引排水蓄積部２０内の圧力が所定圧力に達していないと判断されると空気除去制御部８３は空気除去部３１を停止させる（Ｓ９１６）。そして、ステップＳ９１１に戻る。
【００６３】
ステップＳ９１１において吸引制御弁開閉制御部８１において排水蓄積部１０ａおよび１０ｂの両方における水位が所定の水位を超えていないと判断されると、吸引制御弁開閉制御部８１は吸引制御弁５１および５２を閉じさせる（Ｓ９１７）。そして、排水制御弁開閉制御部８２は、排水制御弁６１および給気弁６２を開かせる（Ｓ９１８）。さらに、空気除去制御部８３は空気除去部３１を停止させる（Ｓ９１９）。
【００６４】
排水制御弁開閉制御部８２は、排水制御弁６１および給気弁６２を開かせてから所定時間経過した後に（Ｓ９２０）、排水制御弁６１および給気弁６２を閉じさせる（Ｓ９２１）。次に、吸引排水蓄積部２０内の圧力が所定圧力に達しているか否かが空気除去制御部８３において判断される（Ｓ９２２）。ステップＳ９２２における空気除去制御部８３の判断は、圧力測定部３５における測定結果に基づいて行われる。
【００６５】
空気除去制御部８３において吸引排水蓄積部２０内の圧力が所定圧力に達していると判断されると空気除去制御部８３は空気除去部３１を作動させ（Ｓ９２３）、空気除去制御部８３において吸引排水蓄積部２０内の圧力が所定圧力に達していないと判断されると空気除去制御部８３は空気除去部３１を停止させる（Ｓ９２４）。そして、ステップＳ９１１に戻る。
【００６６】
図７は、装置２００より排水された液体の排水処理装置３００における各部の処理の様子を示す図である。図７（ａ）は、排水蓄積部１０ａにおける水位が所定の水位を超えた様子を示す図である。排水蓄積部１０ａにおける水位が所定の水位を超えると、水位検出部１１ａにおいて排水蓄積部１０ａにおける水位が所定の水位を超えたことが検出されて吸引制御弁５１が開く。
【００６７】
図７（ｂ）は、吸引制御弁５１のみが開いている場合の排水処理装置３００の様子を示す図である。吸引制御弁５１が開くと、吸引排水蓄積部２０内の圧力と排水蓄積部１０ａ内に位置する吸引配管４１の開口部付近の圧力との圧力差により、排水蓄積部１０ａに蓄積された液体が排水蓄積部１０ａから吸引排水蓄積部２０へ吸引配管４１を通じて移動する。
【００６８】
そして、排水蓄積部１０ａに蓄積された液体が排水蓄積部１０ａから吸引排水蓄積部２０へ移動する過程において、吸引排水蓄積部２０内の圧力が所定圧力以上の圧力になると、空気除去部３１により吸引排水蓄積部２０内の空気が取り除かれる。これにより吸引排水蓄積部２０内の圧力と吸引配管４１の開口部付近の圧力との圧力差が維持される。
【００６９】
図７（ｃ）は、排水蓄積部１０ａにおける水位が所定の水位以下になった様子を示す図である。排水蓄積部１０ａにおける水位が所定の水位以下になると、水位検出部１１ａにおいて排水蓄積部１０ａにおける水位が所定の水位を超えたことが検出されず、吸引制御弁５１が閉じる。その結果、吸引排水蓄積部２０内の圧力と吸引配管４１の開口部付近の圧力との圧力差による液体の移動がなくなる。
【００７０】
図７（ｄ）は、排水処理配管７０を通じて吸引排水蓄積部２０に蓄積された液体を排水している様子を示す図である。図７（ｃ）に示すように排水蓄積部１０ａにおける水位が所定水位以下になり、かつ排水蓄積部１０ｂにおける水位が所定水位以下になると、排水制御弁６１および給気弁６２が所定時間開く。排水制御弁６１および給気弁６２が開くと、吸引排水蓄積部２０に蓄積された液体は排水処理配管７０を通じて排水される。
【００７１】
このように、本発明の実施の形態によれば、排水蓄積部１０ａおよび１０ｂに蓄積された液体の水位に応じて、排水蓄積部１０ａおよび１０ｂに蓄積された液体を吸引排水蓄積部２０による吸引によって回収することができる。すなわち、２つの装置から排水される液体を効率良く処理することができる。
【００７２】
なお、本発明の実施の形態では、２つの装置から排水される液体の処理について説明したが、３つ以上の装置から排水される液体についても適用することが可能である。
【００７３】
また、本発明の実施の形態は本発明を具現化するための一例を示したものであり、これに限定されるものではなく本発明の要旨を逸脱しない範囲において種々の変形を施すことができる。
【００７４】
また、本発明の実施の形態において説明した処理手順は、これら一連の手順を有する方法として捉えてもよく、また、これら一連の手順をコンピュータに実行させるためのプログラム乃至そのプログラムを記憶する記録媒体として捉えてもよい。
【産業上の利用可能性】
【００７５】
本発明の活用例として、例えば複数の装置から排水される液体を処理する際に本発明を適用することができる。
【図面の簡単な説明】
【００７６】
【図１】本発明の実施の形態における排水処理装置１００の構成の一例を示す図である。
【図２】図１における排水処理装置１００の第一の実施の形態である排水処理装置３００を示す図である。
【図３】図２における制御部８０の構成の一例を示す図である。
【図４】空気除去部３１の作動状態を表すチャート図である。
【図５】図１における排水処理装置１００の第二の実施の形態である排水処理装置４００を示す図である。
【図６】排水処理装置３００における処理の流れを示す図である。
【図７】装置２００より排水された液体の排水処理装置３００における各部の処理の様子を示す図である。
【符号の説明】
【００７７】
１０、１０ａ、１０ｂ  排水蓄積部
１１、１１ａ、１１ｂ  水位検出部
１２、１２ａ、１２ｂ  漏水検出部
１３  漏水伝達部
２０  吸引排水蓄積部
２１  吸引排水管
３０  低圧力生成部
３１  空気除去部
３２  空気除去本体部
３３  空気除去管
３４  逆止弁
３５  圧力測定部
４１、４２  吸引配管
５０    排水吸引制御部
５１、５２  吸引制御弁
６０  排水処理制御部
６１  排水制御弁
６２  給気弁
７０  排水処理配管
８０  制御部
８１  吸引制御弁開閉制御部
８２  排水制御弁開閉制御部
８３  空気除去制御部
１００、３００、４００  排水処理装置
【図１】
2008003757.tif 000003
【図２】
2008003757.tif 000004
【図３】
2008003757.tif 000005
【図４】
2008003757.tif 000006
【図５】
2008003757.tif 000007
【図６】
2008003757.tif 000008
【図７】
2008003757.tif 000009